(57)【要約】【課題】直流モーターをパルス駆動する場合における画質劣化を防止する電子カメラを提供する。【解決手段】電子カメラは、撮像素子２５０の露光に必要な可動部材１００をあらかじめ定められたタイミングで駆動するための直流モーター６１と、レリーズ操作部材７１の操作に応じて直流モーター６１へ直流電圧またはパルス状電圧を供給する駆動回路６２と、露光後に直流モーター６１へパルス状電圧を供給する場合、撮像素子２５０からの光電変換信号の読み出し終了時およびレリーズ操作部材７１の操作終了時のいずれか遅い時に基づいて、パルス状電圧の供給を開始するように駆動回路６２を制御する制御手段５１とを備える。【選択図】図２
2010193379.tif 000002
【特許請求の範囲】
【請求項１】
撮像素子の露光に必要な可動部材をあらかじめ定められたタイミングで駆動するための直流モーターと、
レリーズ操作部材の操作に応じて前記直流モーターへ直流電圧またはパルス状電圧を供給する駆動回路と、
前記露光後に前記直流モーターへ前記パルス状電圧を供給する場合、前記撮像素子からの光電変換信号の読み出し終了時および前記レリーズ操作部材の操作終了時のいずれか遅い時に基づいて、前記パルス状電圧の供給を開始するように前記駆動回路を制御する制御手段とを備えることを特徴とする電子カメラ。
【請求項２】
請求項１に記載の電子カメラにおいて、
前記撮像素子から前記露光後の光電変換信号を読み出した後に前記撮像素子から非露光時の光電変換信号をさらに読み出すモードに設定されている場合の制御手段は、前記撮像素子からの前記非露光時の光電変換信号の読み出し終了時および前記レリーズ操作部材の操作終了時のいずれか遅い時に基づいて、前記パルス状電圧の供給を開始するように前記駆動回路を制御することを特徴とする電子カメラ。
【請求項３】
請求項１に記載の電子カメラにおいて、
前記撮像素子から前記露光後の光電変換信号を読み出した後に前記撮像素子から非露光時の光電変換信号をさらに読み出すモードに設定されている場合の制御手段は、前記撮像素子からの前記露光後の光電変換信号の読み出し終了時および前記レリーズ操作部材の操作終了時のいずれか遅い時に基づいて、前記パルス状電圧の供給を開始するように前記駆動回路を制御することを特徴とする電子カメラ。
【請求項４】
請求項３に記載の電子カメラにおいて、
前記撮像素子は前記露光後に前記直流モーターへ前記パルス状電圧が供給される間、待機状態に制御され、
前記撮像素子からの前記非露光時の光電変換信号の読み出しは、前記待機状態の終了後に行われることを特徴とする電子カメラ。
【請求項５】
請求項１〜４のいずれか一項に記載の電子カメラにおいて、
前記可動部材は、ミラーおよびフォーカルプレーンシャッタの少なくとも一方を含むことを特徴とする電子カメラ。
【請求項６】
請求項１〜４のいずれか一項に記載の電子カメラにおいて、
前記露光後の前記パルス状電圧の供給は、前記ミラーのダウン駆動または前記フォーカルプレーンシャッタのチャージ動作のために行われることを特徴とする電子カメラ。
【請求項７】
請求項１〜４のいずれか一項に記載の電子カメラにおいて、
前記駆動回路は、該電子カメラの発生音を抑える静音モードに設定されている場合に前記直流モーターへ前記パルス状電圧を供給することを特徴とする電子カメラ。
【請求項８】
請求項１〜４のいずれか一項に記載の電子カメラにおいて、
前記レリーズ操作部材の操作終了時は、該操作部材に対する半押し操作の解除または全押し操作の解除の時であることを特徴とする電子カメラ。
【発明の詳細な説明】
【技術分野】
【０００１】
本発明は、電子カメラに関する。
【背景技術】
【０００２】
フィルムカメラの消音モード時に、モーターをパルス駆動で制御することによりモーターを低速回転させて発生音を低下させる技術が知られている（特許文献１参照）。
また、フィルムカメラにおいて、レリーズボタンの押し込み操作を解除した後にモーターを動かすことにより、撮影者がモーター音のでるタイミングを制御可能とする技術も知られている（特許文献２参照）。
【先行技術文献】
【特許文献】
【０００３】
【特許文献１】特開平１−２７９２２７号公報
【特許文献２】特開昭６２−４４２５０号公報
【発明の概要】
【発明が解決しようとする課題】
【０００４】
しかし、一般に、モーターをパルス駆動する場合に当該パルス周期に応じた周期性のノイズが発生するため、電子カメラにおいて、撮像素子での電荷蓄積中（露光中）や、撮像素子から光電変換信号（画像信号）の読出し中に上記ノイズが発生すると、画像信号に当該ノイズが重畳して画質の低下につながるという問題があった。また、レリーズボタンの押し込み操作を解除した後にモーターを動かす場合であっても、露光時間が長い場合においては、レリーズボタンの押し込み操作を解除した時点で、露光中もしくは画像読み出し中となる可能性があり、パルス駆動によるノイズによって画像の画質が劣化してしまうという問題があった。
【課題を解決するための手段】
【０００５】
本発明による電子カメラは、撮像素子の露光に必要な可動部材をあらかじめ定められたタイミングで駆動するための直流モーターと、レリーズ操作部材の操作に応じて直流モーターへ直流電圧またはパルス状電圧を供給する駆動回路と、露光後に直流モーターへパルス状電圧を供給する場合、撮像素子からの光電変換信号の読み出し終了時およびレリーズ操作部材の操作終了時のいずれか遅い時に基づいて、パルス状電圧の供給を開始するように駆動回路を制御する制御手段とを備える。
【発明の効果】
【０００６】
本発明による電子カメラでは、直流モーターをパルス駆動する場合における画質劣化を防止できる。
【図面の簡単な説明】
【０００７】
【図１】本発明の第一の実施形態によるデジタルカメラを側面から見た断面図である。
【図２】デジタルカメラのシーケンス制御を説明するブロック図である。
【図３】撮影時のシーケンス動作を説明するフローチャートである。
【図４】撮影時のシーケンス動作を説明するフローチャートである。
【図５】撮影時のシーケンス動作を説明するフローチャートである。
【図６】通常モードにおける撮影動作のタイミングチャートを例示する図である。
【図７】静音モードにおける撮影動作のタイミングチャートを例示する図である。
【図８】静音モードにおける撮影動作のタイミングチャートを例示する図である。
【図９】第二の実施形態による撮影時のシーケンス動作を説明するフローチャートである。
【図１０】第二の実施形態による撮影時のシーケンス動作を説明するフローチャートである。
【図１１】静音モードにおける撮影動作のタイミングチャートを例示する図である。
【図１２】静音モードにおける撮影動作のタイミングチャートを例示する図である。
【図１３】第三の実施形態による撮影時のシーケンス動作を説明するフローチャートである。
【図１４】静音モードにおける撮影動作のタイミングチャートを例示する図である。
【発明を実施するための形態】
【０００８】
以下、図面を参照して本発明を実施するための形態について説明する。
＜第一の実施形態＞
図１は、本発明の第一の実施形態によるデジタルカメラＣＡを側面から見た断面図である。デジタルカメラＣＡはレンズ交換式の一眼レフタイプであり、撮影レンズＬを有するレンズ鏡筒ＬＢがカメラ本体ＣＢに装着される。撮影レンズＬを通過した被写体光束は、カメラ本体ＣＢ内に導かれる。被写体光束はさらに、レリーズ操作前はミラー２２で上方へ反射されてファインダスクリーン２３上に結像する。結像された被写体像は、ペンタプリズム２４、接眼レンズ２５を介して観察される。
【０００９】
レリーズ操作がなされると、ミラー２２が上方へ回動されて撮影光路から退避し、続いてシャッタ装置であるフォーカルプレーンシャッタ１００が開閉駆動される。これにより、撮影レンズＬを通過した被写体光束が撮像ユニットに設けられているＣＭＯＳイメージセンサなどの撮像素子２５０の撮像面上に所定時間結像する（露光）。撮像素子２５０は、結像された被写体像を撮像して（電荷蓄積）光電変換信号（蓄積信号）を出力する。撮像素子２５０から読み出された蓄積信号には、後述する画像処理回路５２（図２）にて所定の処理が施され、デジタル画像データが生成される。
【００１０】
デジタルカメラＣＡは、レリーズ操作に伴うミラー２２のアップ／ダウンおよびフォーカルプレーンシャッタ１００のチャージなどの動作タイミングをシーケンス装置によって制御する。これは、後述する図２のシーケンスモーター６１、モーター制御回路６２、後幕走行完了検出スイッチ６３、ミラーアップ完了検出スイッチ６４、およびミラーダウン完了検出スイッチ６５を含むシーケンス駆動装置（不図示）を構成し、各検出スイッチによる検出タイミングに基づいてシーケンスモーター６１の駆動制御およびブレーキ制御を行うことにより、ミラー２２の駆動およびフォーカルプレーンシャッタ１００のチャージタイミングを制御するものである。
【００１１】
本実施形態は、静音モード時のシーケンス制御に特徴を有するので、以下の説明はレリーズ時のシーケンス動作を中心に説明する。ここで、静音モードは、直流モーターなどで構成されるシーケンスモーター６１へパルス状の駆動電圧を印加することにより、該モーター６１を通常時（通常モードと呼ぶ）より低速で回転させて動作音を低下させるモードである。なお、通常モードではシーケンスモーター６１へ直流電圧が印加され、該シーケンスモーター６１は高速で回転する。
【００１２】
図２は、デジタルカメラＣＡのシーケンス制御を説明するブロック図である。図２において、制御回路５１が撮像素子２５０へ蓄積制御信号を送出すると、撮像素子２５０が電荷を蓄積する。蓄積後に制御回路５１が撮像素子２５０および画像処理回路５２へ読み出し蓄積制御信号を送出すると、蓄積信号が撮像素子２５０から画像処理回路５２へ読み出される。
【００１３】
画像処理回路５２は、蓄積信号をアナログ信号からデジタル信号へＡ／Ｄ変換し、変換後のデジタル信号へ所定の信号処理を行って画像データを生成する。表示装置５３は、制御回路５１からの指示に応じてデジタル画像データに基づく再生画像を表示する。フラッシュメモリなどによって構成される記録媒体８０には、制御回路５１からの指示に応じてデジタル画像データが記録される。
【００１４】
レリーズ半押しスイッチ７１ａおよびレリーズ全押しスイッチ７１ｂは、それぞれがレリーズボタン７１の押下操作に連動してオン信号／オフ信号を制御回路５１へ出力する。レリーズ半押しスイッチ７１ａからのオン信号（半押し操作信号）は、レリーズボタン７１が通常ストロークの半分程度まで押し下げ操作されると出力され、半ストロークの押し下げ操作解除で出力がオフされる。レリーズ全押しスイッチ７１ｂからのオン信号（全押し操作信号）は、レリーズボタン７１が通常ストロークまで押し下げ操作されると出力され、通常ストロークの押し下げ操作が解除されると出力がオフされる。半押し操作信号は、制御回路５１に対して撮影準備の開始を指示する信号である。全押し操作信号は、制御回路５１に対して記録用画像の露光開始を指示する信号である。
【００１５】
静音モードスイッチ７２は、押下操作に応じてオン信号／オフ信号を制御回路５１へ出力する。制御回路５１は、静音モードスイッチ７２からオン信号を受けた場合に静音モードフラグを１にセットし、静音モードスイッチ７２からオフ信号を受けた場合に静音モードフラグを０にセットする。
【００１６】
先幕マグネット１００ａおよび後幕マグネット１００ｂはそれぞれ、通電オン時にフォーカルプレーンシャッタ１００の先幕（不図示）および後幕（不図示）を保持する。先幕マグネット１００ａが制御回路５１からの先幕マグネット駆動信号によって通電オフすると、先幕が走行を開始する。また、後幕マグネット１００ｂが制御回路５１からの後幕マグネット駆動信号によって通電オフすると、後幕が走行を開始する。
【００１７】
後幕走行完了検出スイッチ６３は、後幕が走行完了して撮像素子２５０が遮光状態になったタイミングでオン信号を発生する。モーター制御回路６２は、制御回路５１からのシーケンスモーター駆動信号に応じて、シーケンスモーター６１の正転、逆転および回転速度を制御する。
【００１８】
ミラーアップ完了検出スイッチ６４は、ミラー２２のアップ完了位置になるとオン信号を発生する。ミラーダウン完了検出スイッチ６５は、ミラー２２のダウン完了位置になるとオン信号を発生する。
【００１９】
＜撮影時のシーケンス動作＞  
撮影時のシーケンス動作について、図３に例示するフローチャートを参照して説明する。図３−図５は、制御回路５１が実行する処理の流れを説明するフローチャートである。制御回路５１は、カメラのメインスイッチ（不図示）がオン操作され、カメラ内の各ブロックへ通電されると図３による処理を起動させる。
【００２０】
図３のステップＳ１において、制御回路５１はレリーズ全押しスイッチがオンか否かを判定する。制御回路５１は、レリーズ全押しスイッチ７１ｂからオン操作信号が入力された場合にステップＳ１を肯定判定してステップＳ２へ進み、オン操作信号が入力されない場合にはステップＳ１を否定判定して当該判定を繰り返す。なお、ステップＳ１を否定判定する場合でも、レリーズ半押しスイッチ７１ｂからオン操作信号が入力された場合には、所定の処理（たとえば、フォーカス調節処理、自動露出演算など）を行いながら、上記判定を繰り返す。
【００２１】
ステップＳ２において、制御回路５１は静音モードスイッチ７２がオンか否かを判定する。制御回路５１は、静音モードスイッチ７２からオン信号を受けた場合にステップＳ２を肯定判定してステップＳ３−１へ進み、静音モードフラグを１にセットする。制御回路５１は、静音モードスイッチ７２からオフ信号を受けた場合にはステップＳ２を否定判定してステップＳ３へ進み、静音モードフラグを０にセットする。
【００２２】
ステップＳ４において、制御回路５１は、先幕マグネット１００ａおよび後幕マグネット１００ｂに対してそれぞれ通電オンさせてステップＳ５へ進む。ステップＳ５において、制御回路５１は所定時間待ってステップＳ６へ進む。これは、先幕マグネット１００ａおよび後幕マグネット１００ｂの吸着安定時間を確保するためである。
【００２３】
ステップＳ６において、制御回路５１は静音モードフラグを確認する。制御回路５１は、当該フラグが１の場合にステップＳ６を肯定判定してステップＳ７−１へ進む。 制御回路５１は、当該フラグが０の場合にはステップＳ６を否定判定し、ステップＳ７へ進む。
【００２４】
ステップＳ７において、制御回路５１はモーター制御回路６２へシーケンスモーター駆動信号を送り、シーケンスモーター６１を正転させてステップＳ８へ進む。これにより、ミラー２２のアップ駆動が開始される。なお、ステップＳ７は通常モード時に実行するため、シーケンスモーター６１に対するパルス駆動は行わない。
【００２５】
ステップＳ７−１において、制御回路５１はモーター制御回路６２へシーケンスモーター駆動信号を送り、シーケンスモーター６１を正転させてステップＳ８へ進む。これにより、ミラー２２のアップ駆動が開始される。なお、ステップＳ７−１は静音モード時に実行するため、シーケンスモーター６１に対してパルス状の電圧を印加させてパルス駆動を行う。
【００２６】
ステップＳ８において、制御回路５１はミラーアップ完了検出スイッチ６４の状態を確認する。制御回路５１は、ミラーアップ完了検出スイッチ６４からオン信号を受けた場合にステップＳ８を肯定判定してステップＳ９へ進む。制御回路５１は、ミラーアップ完了検出スイッチ６４からオン信号を受けない場合には、ステップＳ８を否定判定して当該判定処理を繰り返す。
【００２７】
ステップＳ９において、制御回路５１はモーター制御回路６２へシーケンスモーター駆動信号を送り、シーケンスモーター６１にブレーキをかけて停止させ、ステップＳ１０へ進む。ステップＳ１０において、制御回路５１は、所定時間待って図４のステップＳ１１へ進む。これは、ミラーアップのバウンド後の安定時間を確保するためである。
【００２８】
図４のステップＳ１１において、制御回路５１は、先幕マグネット１００ａに通電オフさせてステップＳ１２へ進む。これにより、フォーカルプレーンシャッタ１００の先幕が走行を開始する。ステップＳ１２において、制御回路５１は、撮像素子蓄積制御信号を出力してステップＳ１３へ進む。これにより、撮像素子２５０が蓄積動作を開始する（露光）。
【００２９】
ステップＳ１３において、制御回路５１は、シャッタ秒時時間が経過したか否かを判定する。制御回路５１は、蓄積動作開始後の計時時間がシャッタ秒時時間に達した場合にステップＳ１３を肯定判定してステップＳ１４へ進む。制御回路５１は、計時時間がシャッタ秒時時間に達していない場合にはステップＳ１３を否定判定し、当該判定処理を繰り返す。（なお、いわゆるスリット露光が必要な高速シャッタ秒時（たとえば１／４０００秒）の場合は、実際のシャッタ秒時より短い時間で制御を行う。）
【００３０】
ステップＳ１４において、制御回路５１は、制御回路５１は、後幕マグネット１００ｂに通電オフさせてステップＳ１５へ進む。これにより、フォーカルプレーンシャッタ１００の後幕が走行を開始する。ステップＳ１５において、制御回路５１は後幕走行完了検出スイッチ６３の状態を確認する。制御回路５１は、後幕走行完了検出スイッチ６３からオン信号を受けた場合にステップＳ１５を肯定判定してステップＳ１６へ進む。制御回路５１は、後幕走行完了検出スイッチ６３からオン信号を受けない場合には、ステップＳ１５を否定判定して当該判定処理を繰り返す。
【００３１】
ステップＳ１６において、制御回路５１は、撮像素子蓄積制御信号をオフしてステップＳ１７へ進む。これにより、撮像素子２５０が蓄積動作を終了する。ステップＳ１７において、制御回路５１は静音モードフラグを確認する。制御回路５１は、当該フラグが１の場合にステップＳ１７を肯定判定して図５のステップＳ２０−１へ進む。 制御回路５１は、当該フラグが０の場合にはステップＳ１７を否定判定し、ステップＳ１８へ進む。
【００３２】
（通常モード時）
ステップＳ１８において、制御回路５１はモーター制御回路６２へシーケンスモーター駆動信号を送り、シーケンスモーター６１を逆転させてステップＳ１９へ進む。これにより、ミラー２２のダウン駆動が開始される。なお、ステップＳ１８は通常モード時に実行するため、シーケンスモーター６１に対するパルス駆動は行わない。
【００３３】
ステップＳ１９において、制御回路５１は、所定時間待ってステップＳ２０へ進む。これは、撮像素子２５０からの蓄積信号の読み出し開始を遅らせることにより、蓄積信号を読み出し中にシーケンスモーター６１へ突入電流が流れることを避けるためである。
【００３４】
ステップＳ２０において、制御回路５１は、撮像素子読み出し制御信号を出力して図５のステップＳ２１へ進む。これにより、撮像素子２５０から蓄積信号の読み出しが開始される。図５のステップＳ２１において、制御回路５１はミラーダウン完了検出スイッチ６５の状態を確認する。制御回路５１は、ミラーダウン完了検出スイッチ６５からオン信号を受けた場合にステップＳ２１を肯定判定してステップＳ２２へ進む。制御回路５１は、ミラーダウン完了検出スイッチ６５からオン信号を受けない場合には、ステップＳ２１を否定判定して当該判定処理を繰り返す。
【００３５】
ステップＳ２２において、制御回路５１はモーター制御回路６２へシーケンスモーター駆動信号を送り、シーケンスモーター６１にブレーキをかけて停止させ、ステップＳ２３へ進む。ステップＳ２３において、制御回路５１は、撮像素子読み出し制御信号を出力してから所定時間経過したか否かを判定する。制御回路５１は、計時時間が所定時間に達した場合にステップＳ２３を肯定判定してステップＳ２４へ進む。制御回路５１は、計時時間が所定時間に達していない場合にはステップＳ２３を否定判定し、当該判定処理を繰り返す。
【００３６】
ステップＳ２４において、制御回路５１は、撮像素子読み出し制御信号をオフして図５による処理を終了する。これにより、１コマの撮影動作を終了する。なお、蓄積信号に対する画像処理や記録・表示処理は、以上説明した撮影動作に続いて行われる。
【００３７】
（静音モード時）
上述したステップＳ１７（図４）を肯定判定して進む図５のステップＳ２０−１において、制御回路５１は、撮像素子読み出し制御信号を出力してステップＳ２３−１へ進む。これにより、撮像素子２５０から蓄積信号の読み出しが開始される。
【００３８】
ステップＳ２３−１において、制御回路５１は、撮像素子読み出し制御信号を出力してから所定時間経過したか否かを判定する。制御回路５１は、計時時間が所定時間に達した場合にステップＳ２３−１を肯定判定してステップＳ２４−１へ進む。制御回路５１は、計時時間が所定時間に達していない場合にはステップＳ２３−１を否定判定し、当該判定処理を繰り返す。
【００３９】
ステップＳ２４−１において、制御回路５１は、撮像素子読み出し制御信号をオフしてステップＳ２５−１へ進む。ステップＳ２５−１において、制御回路５１は、レリーズ半押しスイッチがオフか否かを判定する。制御回路５１は、レリーズ半押しスイッチ７１ａからオフ操作信号が入力されている場合にステップＳ２５−１を肯定判定してステップＳ１８−１へ進み、オフ操作信号が入力されていない場合にはステップＳ２５−１を否定判定して当該判定を繰り返す。本処理により、撮像素子２５０からの蓄積信号の読み出し終了時にレリーズボタンが押下されていなければステップＳ１８−１へ進み、蓄積信号の読み出し終了時にレリーズボタンが押下されていれば当該押下操作が終了するまで待つ。
【００４０】
ステップＳ１８−１において、制御回路５１はモーター制御回路６２へシーケンスモーター駆動信号を送り、シーケンスモーター６１を逆転させてステップＳ２１−１へ進む。これにより、ミラー２２のダウン駆動が開始される。なお、ステップＳ１８−１は静音モード時に実行するため、シーケンスモーター６１をパルス駆動する。
【００４１】
ステップＳ２１−１において、制御回路５１はミラーダウン完了検出スイッチ６５の状態を確認する。制御回路５１は、ミラーダウン完了検出スイッチ６５からオン信号を受けた場合にステップＳ２１−１を肯定判定してステップＳ２２−１へ進む。制御回路５１は、ミラーダウン完了検出スイッチ６５からオン信号を受けない場合には、ステップＳ２１−１を否定判定して当該判定処理を繰り返す。
【００４２】
ステップＳ２２−１において、制御回路５１はモーター制御回路６２へシーケンスモーター駆動信号を送り、シーケンスモーター６１にブレーキをかけて停止させ、図５による処理を終了する。これにより１コマの撮影動作を終了する。なお、蓄積信号に対する画像処理や記録・表示処理は、以上の撮影動作に続いて行われる。
【００４３】
図６は、上述した通常モードにおける撮影動作のタイミングチャートを例示する図である。図７は、上述した静音モードにおける撮影動作のタイミングチャートであって、撮像素子２５０からの蓄積信号の読み出し終了時点でレリーズボタンから指が離されている（押下操作されていない）場合における撮影動作のタイミングチャートを例示する図である。また、図８は、上記静音モードにおける撮影動作のタイミングチャートであって、撮像素子２５０からの蓄積信号の読み出し終了時点でレリーズボタンから指が離されていない（押下操作されている）場合における撮影動作のタイミングチャートを例示する図である。
【００４４】
図６−図８において、各信号レベルの変化点に付されている符号は、上述したフローチャートにおける処理のステップ番号に対応する。たとえば、撮像素子読み出し制御信号がオフからオンへの変化する点の符号「２０」は、上述したステップＳ２０の処理「撮像素子読み出し制御信号を出力する」に基づくことを示す。
【００４５】
図６における特徴は、シーケンスモーター６１がパルス駆動されずにＤＣ（直流）駆動される点と、シーケンスモーター６１の回転開始時に突入電流が流れるタイミング（符号１８）を避けて、撮像素子読み出し制御信号がオフからオンへ変化される（符号２０）点である。
【００４６】
図７における特徴は、シーケンスモーター６１がパルス駆動される点（シーケンスモーター駆動信号がパルス列で表される）と、シーケンスモーター６１の回転開始（符号１８−１）は、レリーズボタンから指が離された後で撮像素子読み出し制御信号がオンからオフへ変化されてから行う点（符号２４−１）である。
【００４７】
図８における特徴は、シーケンスモーター６１がパルス駆動される点（シーケンスモーター駆動信号がパルス列で表される）と、シーケンスモーター６１の回転開始（符号１８−１）は、撮像素子読み出し制御信号がオンからオフへ変化した後でレリーズボタンから指が離されてから行う点である。すなわち、ステップＳ２５−１（図５）により、撮像素子２５０からの蓄積信号の読み出し終了時にレリーズボタンが押下されていれば当該押下操作が終了するまで判定処理を繰り返して待つ。
【００４８】
以上説明した第一の実施形態によれば、次の作用効果が得られる。
（１）デジタルカメラは、撮像素子２５０の露光に必要なミラー２２やフォーカルプレーンシャッタ１００をあらかじめ定められたタイミングで駆動するためのシーケンスモーター６１と、レリーズボタン７１の操作に応じてシーケンスモーター６１へ直流電圧またはパルス状電圧を供給するモーター制御回路６２と、露光後にシーケンスモーター６１へパルス状電圧を供給する場合、撮像素子２５０からの光電変換信号の読み出し終了時およびレリーズボタン７１の操作終了時のいずれか遅い時に基づいて、パルス状電圧の供給を開始するようにモーター制御回路６２を制御する制御回路５１とを備える。これにより、シーケンスモーター６１をパルス駆動する静音モード時において、露光後のシーケンスモーター６１の逆転開始を撮像素子２５０からの蓄積信号の読み出し終了後まで待たせた上で、読み出し終了してもレリーズボタン７１が押下操作されている（レリーズ半押しスイッチ７１ａがオン）場合は、レリーズ半押しスイッチ７１ａがオフになるまでさらに待たせることができる。この結果、静音モード時における画質劣化を防止できる。
【００４９】
（２）可動部材にミラー２２およびフォーカルプレーンシャッタ１００の少なくとも一方を含むので、これらの駆動に伴う発生音を抑えることができる。
【００５０】
（３）露光後のパルス状電圧の供給は、ミラー２２のダウン駆動またはフォーカルプレーンシャッタのチャージ動作のために行うので、これらの動作に伴う発生音を抑えることができる。
【００５１】
（４）静音モードに設定されている場合にシーケンスモーター６１へパルス状電圧を供給するので、静音モードにおいて上記動作に伴う発生音を抑えることができる。
【００５２】
（５）また、撮影者がレリーズボタンを離すまで、これらの発生音を遅らせることができる。すなわち、撮影者の意志でこれらの発生音のタイミングを遅らせることができる。
【００５３】
＜第二の実施形態＞
第二の実施形態では、長秒時ノイズリダクション処理を行う。長秒時ノイズリダクション処理は、デジタルカメラの長秒時（たとえば１秒以上）露光における暗電流ノイズを除去する方法の１つである。具体的には、撮影用の長秒時露光（蓄積）を行う（本露光と呼ぶ）とともに、撮像素子２５０を遮光した暗黒状態で本露光時と同じ長秒時の蓄積を行う（暗露光と呼ぶ）。本露光で得た画像から上記暗露光で得た画像を減算することにより、長秒時露光時に生じている暗電流ノイズが除去される。
【００５４】
第二の実施形態では、本露光後と暗露光後のそれぞれにおいて撮像素子２５０から蓄積信号を読み出す。そして、静音モード時のシーケンスモーター６１の回転開始タイミングを、レリーズボタンから指が離されるタイミングと、暗露光時の撮像素子読み出し制御信号がオンからオフへ変化するタイミングの遅い方とする。
【００５５】
＜撮影時のシーケンス動作＞
ノイズリダクション処理を行う場合のシーケンス動作について、図９および図１０に例示するフローチャートを参照して説明する。図９および図１０は、制御回路５１が実行する処理の流れを説明するフローチャートである。制御回路５１は、カメラのメインスイッチがオン操作され、ノイズリダクション機能がオン設定された場合に図３、図４，図９および図１０による処理を起動させる。なお、図４におけるステップＳ１２、ステップＳ１６，ステップＳ２０および図９におけるステップＳ２４は本露光のものである。
【００５６】
（通常モード時）
図９による処理は、図５におけるステップＳ２１以降の処理に代えて行われる。なお、図９における処理であって図５における処理内容と同様の処理には、図５の場合と同一ステップ番号を付して説明を省略する。
【００５７】
図９のステップＳ２４の次に進むステップＳ１２’において、制御回路５１は、撮像素子蓄積制御信号を出力してステップＳ１３’へ進む。これにより、撮像素子２５０が暗露光の蓄積動作を開始する。
【００５８】
ステップＳ１３’において、制御回路５１は、シャッタ秒時時間が経過したか否かを判定する。制御回路５１は、暗露光の蓄積動作開始後の計時時間がシャッタ秒時時間に達した場合にステップＳ１３’を肯定判定してステップＳ１６’へ進む。制御回路５１は、計時時間がシャッタ秒時時間に達していない場合にはステップＳ１３’を否定判定し、当該判定処理を繰り返す。
【００５９】
ステップＳ１６’において、制御回路５１は、撮像素子蓄積制御信号をオフしてステップＳ２０’へ進む。これにより、撮像素子２５０が暗露光の蓄積動作を終了する。ステップＳ２０’において、制御回路５１は、撮像素子読み出し制御信号を出力してステップＳ２３’へ進む。これにより、撮像素子２５０から暗露光時の蓄積信号の読み出しが開始される。
【００６０】
ステップＳ２３’において、制御回路５１は、撮像素子読み出し制御信号を出力してから所定時間経過したか否かを判定する。制御回路５１は、計時時間が所定時間に達した場合にステップＳ２３’を肯定判定してステップＳ２４’へ進む。制御回路５１は、計時時間が所定時間に達していない場合にはステップＳ２３’を否定判定し、当該判定処理を繰り返す。
【００６１】
ステップＳ２４’において、制御回路５１は、撮像素子読み出し制御信号をオフして図９による処理を終了する。以上により１コマの撮影動作を終了する。なお、暗電流ノイズの除去処理や、ノイズ除去後の蓄積信号に対する画像処理や記録・表示処理は、以上の撮影動作に続いて行われる。
【００６２】
（静音モード時）
図１０による処理は、図５におけるステップＳ２０−１以降の処理に代えて行われる。なお、図１０における処理であって図５における処理内容と同様の処理には、図５の場合と同一ステップ番号を付して説明を省略する。なお、図１０におけるステップＳ２０−１およびステップＳ２４−１は本露光のものである。
【００６３】
図１０のステップＳ２４−１の次に進む図ステップＳ１２'-１において、制御回路５１は、撮像素子蓄積制御信号を出力してステップＳ１３'-１へ進む。これにより、撮像素子２５０が暗露光の蓄積動作を開始する。
【００６４】
ステップＳ１３'-１において、制御回路５１は、シャッタ秒時時間が経過したか否かを判定する。制御回路５１は、暗露光の蓄積動作開始後の計時時間がシャッタ秒時時間に達した場合にステップＳ１３'-１を肯定判定してステップＳ１６'-１へ進む。制御回路５１は、計時時間がシャッタ秒時時間に達していない場合にはステップＳ１３'-１を否定判定し、当該判定処理を繰り返す。
【００６５】
ステップＳ１６'-１において、制御回路５１は、撮像素子蓄積制御信号をオフしてステップＳ２０'-１へ進む。これにより、撮像素子２５０が暗露光の蓄積動作を終了する。ステップＳ２０'-１において、制御回路５１は、撮像素子読み出し制御信号を出力してステップＳ２３'-１へ進む。これにより、撮像素子２５０から暗露光時の蓄積信号の読み出しが開始される。
【００６６】
ステップＳ２３'-１において、制御回路５１は、撮像素子読み出し制御信号を出力してから所定時間経過したか否かを判定する。制御回路５１は、計時時間が所定時間に達した場合にステップＳ２３'-１を肯定判定してステップＳ２４'-１へ進む。制御回路５１は、計時時間が所定時間に達していない場合にはステップＳ２３'-１を否定判定し、当該判定処理を繰り返す。
【００６７】
ステップＳ２４'-１において、制御回路５１は、撮像素子読み出し制御信号をオフしてステップＳ２５−１へ進む。ステップＳ２５−１以降は図５の場合と同様である。以上により、１コマの撮影動作を終了する。なお、暗電流ノイズの除去処理や、ノイズ除去後の蓄積信号に対する画像処理や記録・表示処理は、撮影動作に続いて行われる。
【００６８】
図１１は、通常モード（ステップＳ１７（図４）以降にステップＳ１８からステップＳ２４’（図９）の処理を実行する）における撮影動作のタイミングチャートを例示する図である。図１２は、静音モード（ステップＳ１７（図４）以降にステップＳ２０−１（図１０）からステップＳ２２'-１（図１０）の処理を実行する）における撮影動作のタイミングチャートであって、撮像素子２５０からの暗露光時の蓄積信号の読み出し終了時点（ステップＳ２４'-１）では既にレリーズボタンから指が離されている（押下操作されていない）場合における撮影動作のタイミングチャートを例示する図である。
【００６９】
図１１、図１２において、各信号レベルの変化点に付されている符号は、上述したフローチャートにおける処理のステップ番号に対応する。たとえば、撮像素子読み出し制御信号がオフからオンへの変化点の符号「２０」は、上述したステップＳ２０−１の処理「撮像素子読み出し制御信号（本露光）を出力する」に基づくことを示す。
【００７０】
図１１における特徴は、シーケンスモーター６１がパルス駆動されずにＤＣ（直流）駆動される点と、シーケンスモーター６１の回転開始時に突入電流が流れるタイミング（符号１８）を避けて、撮像素子読み出し制御信号（本露光）がオフからオンへ変化される（符号２０）点と、本露光時の蓄積信号の読み出しが終了（符号２４）すると暗露光時の蓄積が開始（符号１２’）される点である。
【００７１】
図１２における特徴は、シーケンスモーター６１がパルス駆動される点（シーケンスモーター駆動信号がパルス列で表される）と、シーケンスモーター６１の回転開始（符号１８−１）は、レリーズボタンから指が離されている状態（押下操作されていない）で、暗露光時の撮像素子読み出し制御信号がオンからオフへ変化（符号２４'-１）されてから行う点である。
【００７２】
以上説明した第二の実施形態によれば、次の作用効果が得られる。すなわち、撮像素子２５０から本露光後の光電変換信号を読み出した後に撮像素子２５０から暗露光時の光電変換信号をさらに読み出すノイズリダクションモードに設定されている場合の制御回路５１は、撮像素子２５０からの暗露光時の光電変換信号の読み出し終了時およびレリーズボタン７１の操作終了時のいずれか遅い時に基づいて、パルス状電圧の供給を開始するようにモーター制御回路６２を制御するようにした。これにより、静音モード時かつ長秒時ノイズリダクション機能オンの場合は、暗露光後のシーケンスモーター６１の逆転開始を撮像素子２５０からの暗露光時の蓄積信号の読み出し終了後まで待たせた上で、読み出し終了してもレリーズボタン７１が押下操作されている（レリーズ半押しスイッチ７１ａがオン）場合は、レリーズ半押しスイッチ７１ａがオフになるまでさらに待たせることができる。この結果、静音モード時における画質劣化を防止できる。
【００７３】
＜第三の実施形態＞
第三の実施形態は、第二の実施形態と同様に長秒時ノイズリダクション処理を行い、静音モード時におけるシーケンスモーター６１の回転開始タイミングを、暗露光時の蓄積開始の前であって、本露光時の撮像素子読み出し制御信号がオンからオフへ変化したタイミングと、レリーズボタンから指が離されたタイミングの遅い方で行う。すなわち、撮像素子２５０からの本露光時の蓄積信号の読み出し終了時にレリーズボタンが押下されていれば、当該押下操作がなくなるまで待って、レリーズボタンの押下がなくなってからシーケンスモーター６１を回転させる。そして、シーケンスモーター６１の回転が終了した後に、暗露光時の蓄積を開始する。
【００７４】
＜静音モード時のシーケンス動作＞
第三の実施形態によるシーケンス動作について、図１３に例示するフローチャートを参照して説明する。図１３による処理は、図１０による処理に代えて行われる。なお、図１３における処理であって図１０における処理内容と同様の処理には、図１０の場合と同一ステップ番号を付して説明を省略する。
【００７５】
図１３のステップＳ２４−１の次に進むステップＳ３０において、制御回路５１はスタンバイ制御信号を撮像素子２５０へ送出してステップＳ２５−１へ進む。スタンバイ制御信号を受けた撮像素子２５０は、駆動回路の一部を止めることによって消費電力を通常時より抑えた省電待機状態にするように構成されている。たとえば、水平駆動信号や垂直駆動信号などのタイミング信号を止めることにより、電流や温度上昇が抑制される。省電待機状態は撮像素子２５０への通電を止める場合と異なり、通常時に復帰させた後に撮像素子２５０に対して初期化設定を行う必要がないので、省電待機状態にする直前の設定内容で動作を再開させることが可能である。図１３のステップＳ２５−１からステップＳ２２−１は図１０と同様であるので説明を省略するが、この間、すなわちレリーズ半押しスイッチ７１ａのOFF待ち、シーケンスモーター６１の逆転（ミラー２２のダウン駆動）、シーケンスモーター６１の停止を行う間が省電待機状態となっている。
【００７６】
図１３のステップＳ２２−１の次に進むステップＳ３１において、制御回路５１はスタンバイ制御信号をオフしてステップＳ１２'-１へ進む。これにより撮像素子２５０は、省電待機状態にする直前の設定内容で動作を再開する。
【００７７】
図１４は、静音モードにおける図１３による撮影動作のタイミングチャートであって、撮像素子２５０からの本露光時の蓄積信号の読み出し終了時点では、まだレリーズボタンから指が離されていない（押下操作されている）場合における、撮影動作のタイミングチャートを例示する図である。
【００７８】
図１４における特徴は、シーケンスモーター６１がパルス駆動される点（シーケンスモーター駆動信号がパルス列で表される）と、シーケンスモーター６１の回転開始（符号１８−１）は、本露光時の撮像素子読み出し制御信号がオンからオフへ変化（符号２４−１）されている状態でレリーズボタンから指が離されてから行う点と、本露光時の撮像素子読み出し制御信号がオンからオフへ変化（符号２４−１）を起点とし、シーケンスモーター６１にブレーキをかける（符号２２−１）のを終点として、撮像素子２５０を省電待機状態にする点である。
【００７９】
以上説明した第三の実施形態によれば、次の作用効果が得られる。すなわち、撮像素子２５０から本露光後の光電変換信号を読み出した後に撮像素子２５０から暗露光時の光電変換信号をさらに読み出すノイズリダクションモードに設定されている場合の制御回路５１は、撮像素子２５０からの本露光後の光電変換信号の読み出し終了時およびレリーズボタン７１の操作終了時のいずれか遅い時に基づいて、パルス状電圧の供給を開始するようにモーター制御回路６２を制御するようにした。これにより、静音モード時かつ長秒時ノイズリダクション機能オンの場合に、シーケンスモーター６１の逆転を本露光時の蓄積信号の読み出し後であって暗露光時の蓄積開始の前に行う。つまり、シーケンスモーター６１の逆転開始を撮像素子２５０から本露光時の蓄積信号の読み出し終了後まで待ち、読み出し終了してもレリーズボタンが押下操作されている（レリーズ半押しスイッチ７１ａがオン）場合は、レリーズ半押しスイッチ７１ａがオフになるまでさらに待ってからシーケンスモーター６１の逆転開始させることができる。そして、シーケンスモーター６１の回転が終了した後に、暗露光時の蓄積を開始する。この結果、静音モード時における画質劣化を防止できる。
【００８０】
また、本露光時の読み出し終了を起点とし、シーケンスモーター６１の逆転中は撮像素子２５０を省電待機状態にしたので、省電待機状態にしない場合に比べて消費電力や温度上昇を抑えることができる。
【００８１】
（変形例１）
上記第三の実施形態においては、シーケンスモーター６１の逆転時に撮像素子２５０を省電待機状態にする例を説明したが、必ずしも省電待機状態にする必要はない。
【００８２】
（変形例２）
上記第一ないし第三の実施形態においては、シーケンスモーター６１を駆動源にしてミラー２２の駆動およびフォーカルプレーンシャッタ１００のチャージの双方を行う例を説明した。この代わりに、ミラー２２の駆動およびフォーカルプレーンシャッタ１００のチャージのいずれか一方のみをシーケンスモーター６１で駆動する構成にしても構わない。
【００８３】
（変形例３）
さらにまた、ミラー２２を駆動するシーケンスモーターと、フォーカルプレーンシャッタ１００のチャージを行うためのシーケンスモーターとを分けてもよい。
【００８４】
（変形例４）
レリーズボタン７１の操作終了時は、レリーズ全押しスイッチ７１ｂのオフで判定してもよいし、レリーズ半押しスイッチ７１ａのオフで判定してもよい。
【００８５】
以上の説明はあくまで一例であり、上記の実施形態の構成に何ら限定されるものではない。
【符号の説明】
【００８６】
２２…ミラー
５１…制御回路
６１…シーケンスモーター
６２…モーター制御回路
７１…レリーズボタン
７１ａ…レリーズ半押しスイッチ
７１ｂ…レリーズ全押しスイッチ
１００…フォーカルプレーンシャッタ
２５０…撮像素子
ＣＡ…デジタルカメラ
【図１】
2010193379.tif 000003
【図２】
2010193379.tif 000004
【図３】
2010193379.tif 000005
【図４】
2010193379.tif 000006
【図５】
2010193379.tif 000007
【図６】
2010193379.tif 000008
【図７】
2010193379.tif 000009
【図８】
2010193379.tif 000010
【図９】
2010193379.tif 000011
【図１０】
2010193379.tif 000012
【図１１】
2010193379.tif 000013
【図１２】
2010193379.tif 000014
【図１３】
2010193379.tif 000015
【図１４】
2010193379.tif 000016